(57)【特許請求の範囲】
【請求項１】
無線デバイスで実施される、干渉低減のための方法であって、
デジタルアナログ変換器（ＤＡＣ）用のサンプリング周波数を、ＤＡＣ出力信号内のイメージが１つまたは複数の受信機と干渉しないように選択することと、
前記ＤＡＣ用の前記サンプリング周波数と一致するように前記ＤＡＣに供与される入力信号のサンプルレートを調整することと
を備え、
前記入力信号のサンプルレートは、１つまたは複数の補間器を使用して調整され、
前記１つまたは複数の補間器の出力は、マルチプレクサに入力される、方法。
【請求項２】
前記１つまたは複数の受信機により使用される、１つの周波数または複数の周波数を決定すること、この場合、前記ＤＡＣ用の前記サンプリング周波数は、前記１つまたは複数の受信機により使用される、前記１つの周波数または複数の周波数との干渉を回避するように選択される、
前記１つまたは複数の受信機により使用される前記１つの周波数または複数の周波数との干渉を回避するように、前記入力信号の前記サンプルレートを選択すること、
をさらに備える、請求項１に記載の方法。
【請求項３】
前記選択されたサンプリング周波数で、前記ＤＡＣを使用して、前記入力信号をデジタル信号からアナログ信号に変換することをさらに備える、請求項１に記載の方法。
【請求項４】
前記入力信号を、同相デジタル信号と直交位相デジタル信号とに分割することをさらに備える、請求項１に記載の方法。
【請求項５】
前記サンプリング周波数で、同相ＤＡＣ（Ｉ−ＤＡＣ）を使用して、前記同相デジタル信号を同相アナログ信号に変換すること、
前記サンプリング周波数で、直交位相ＤＡＣ（Ｑ−ＤＡＣ）を使用して、前記直交位相デジタル信号を直交位相アナログ信号に変換すること、
をさらに備える、請求項４に記載の方法。
【請求項６】
前記無線デバイスは、マルチモードの無線通信デバイスである、請求項１に記載の方法。
【請求項７】
前記１つまたは複数の受信機は、前記無線デバイスのセルラー受信機を備える、請求項１に記載の方法。
【請求項８】
前記１つまたは複数の受信機は、前記無線デバイスの全地球測位システム（ＧＰＳ）受信機を備える、請求項１に記載の方法。
【請求項９】
前記１つまたは複数の受信機は、前記無線デバイスのＢｌｕｅｔｏｏｔｈ（登録商標）受信機を備える、請求項１に記載の方法。
【請求項１０】
前記１つまたは複数の受信機は、前記無線デバイスの無線ローカルエリアネットワーク（ＷＬＡＮ）受信機を備える、請求項１に記載の方法。
【請求項１１】
前記１つまたは複数の受信機は、別の無線デバイス上の受信機を備える、請求項１に記載の方法。
【請求項１２】
前記無線デバイスによるスプリアス放射に対するコンプライアンステストの不合格をもたらす１つまたは複数のＤＡＣのイメージを決定することをさらに備え、ＤＡＣのイメージが、制限された周波数帯域内に存在しないように、前記サンプリング周波数が選択される、請求項１１に記載の方法。
【請求項１３】
無線デバイスで実施される、干渉低減のための方法であって、
デジタルアナログ変換器（ＤＡＣ）用のサンプリング周波数を、ＤＡＣ出力信号内のイメージが１つまたは複数の受信機と干渉しないように選択することと、
前記ＤＡＣ用の前記サンプリング周波数と一致するように前記ＤＡＣに供与される入力信号のサンプルレートを調整することと
を備え、
前記入力信号のサンプルレートは、１つまたは複数の補間器を使用して調整され、
前記１つまたは複数の補間器は直列に整列され、最後の補間器の出力はリサンプラに入力される、方法。
【請求項１４】
前記ＤＡＣ用の前記サンプリング周波数は、前記無線デバイスのセルラー送信機が現在動作している帯域クラスに基づいて選択される、請求項１に記載の方法。
【請求項１５】
デジタルアナログ変換器（ＤＡＣ）用のサンプリング周波数を、前記ＤＡＣの出力信号内のイメージが１つまたは複数の受信機と干渉しないように決定するように構成されるコントローラと、
前記ＤＡＣ用の前記決定されたサンプリング周波数と一致するように、前記ＤＡＣに入力として供与されるべき入力信号のサンプルレートを増大するように構成される補間器バンクと、
マルチプレクサを備え、前記マルチプレクサは、前記補間器バンク内の各補間器の出力を受信し、前記コントローラは、前記ＤＡＣに供与される補間器の前記出力を選択するように構成される、無線デバイス用のマルチモードモデム。
【請求項１６】
デジタルアナログ変換器（ＤＡＣ）用のサンプリング周波数を、前記ＤＡＣの出力信号内のイメージが１つまたは複数の受信機と干渉しないように決定するように構成されるコントローラと、
前記ＤＡＣ用の前記決定されたサンプリング周波数と一致するように、前記ＤＡＣに入力として供与されるべき入力信号のサンプルレートを増大するように構成される補間器バンクと、
リサンプラを備え、前記リサンプラは、下限のサンプルレートで入力信号を受信し、前記下限のサンプルレートから上限のサンプルレートの間のサンプルレートで出力信号を供与し、前記コントローラは、前記出力信号の前記サンプルレートを選択するように構成される、無線デバイス用のマルチモードモデム。
【請求項１７】
前記ＤＡＣ用の前記サンプリング周波数は、前記１つまたは複数の受信機により使用される、１つの周波数または複数の周波数との干渉を回避するように選択される、請求項１５または１６に記載のマルチモードモデム。
【請求項１８】
前記入力信号は、同相デジタル信号と直交位相デジタル信号とに分割される、請求項１５または１６に記載のマルチモードモデム。
【請求項１９】
同相ＤＡＣ（Ｉ−ＤＡＣ）と直交位相ＤＡＣ（Ｑ−ＤＡＣ）とをさらに備え、前記Ｉ−ＤＡＣは、前記同相デジタル信号をアナログ信号に変換し、前記Ｑ−ＤＡＣは、前記直交位相デジタル信号をアナログ信号に変換する、請求項１８に記載のマルチモードモデム。
【請求項２０】
前記１つまたは複数の受信機は、前記無線デバイスのセルラー受信機を備える、請求項１５または１６に記載のマルチモードモデム。
【請求項２１】
前記１つまたは複数の受信機は、前記無線デバイスの全地球測位システム（ＧＰＳ）受信機を備える、請求項１５または１６に記載のマルチモードモデム。
【請求項２２】
前記１つまたは複数の受信機は、前記無線デバイスのＢｌｕｅｔｏｏｔｈ受信機を備える、請求項１５または１６に記載のマルチモードモデム。
【請求項２３】
前記１つまたは複数の受信機は、前記無線デバイスの無線ローカルエリアネットワーク（ＷＬＡＮ）受信機を備える、請求項１５または１６に記載のマルチモードモデム。
【請求項２４】
前記１つまたは複数の受信機は、別の無線デバイス上の受信機を備える、請求項１５または１６に記載のマルチモードモデム。
【請求項２５】
ＤＡＣのイメージは、制限された周波数帯域内に存在しないように、前記ＤＡＣ用の前記サンプリング周波数が決定される、請求項２４に記載のマルチモードモデム。
【請求項２６】
デジタルアナログ変換器（ＤＡＣ）用のサンプリング周波数を、前記ＤＡＣの出力信号内のイメージが１つまたは複数の受信機と干渉しないように決定するように構成されるコントローラと、
前記ＤＡＣ用の前記決定されたサンプリング周波数と一致するように、前記ＤＡＣに入力として供与されるべき入力信号のサンプルレートを増大するように構成される補間器バンクと、
マルチプレクサを備え、前記補間器バンクの出力が、前記マルチプレクサに入力される、無線デバイス用のマルチモードモデム。
【請求項２７】
デジタルアナログ変換器（ＤＡＣ）用のサンプリング周波数を、前記ＤＡＣの出力信号内のイメージが１つまたは複数の受信機と干渉しないように決定するように構成されるコントローラと、
前記ＤＡＣ用の前記決定されたサンプリング周波数と一致するように、前記ＤＡＣに入力として供与されるべき入力信号のサンプルレートを増大するように構成される補間器バンクと、
リサンプラを備え、前記補間器バンクが、直列に整列される１つまたは複数の補間器を備え、最後の補間器の出力が、前記リサンプラに入力される、無線デバイス用のマルチモードモデム。
【請求項２８】
前記ＤＡＣ用の前記サンプリング周波数は、前記無線デバイスのセルラー送信機が現在動作している帯域クラスに基づいて選択される、請求項２６または２７に記載のマルチモードモデム。
【請求項２９】
デジタルアナログ変換器（ＤＡＣ）用のサンプリング周波数を、ＤＡＣ出力信号内のイメージが１つまたは複数の受信機と干渉しないように選択するための手段と、
前記ＤＡＣ用の前記サンプリング周波数と一致するように、前記ＤＡＣに供与される入力信号のサンプルレートを調整するための手段と、
を備え、
前記入力信号のサンプルレートは１つまたは複数の補間手段を使用して調整され、
前記１つまたは複数の補間手段の出力は、マルチプレクサ手段に入力される、
干渉低減のための装置。
【請求項３０】
命令を有するコンピュータ読み取り可能記録媒体であって、前記命令は、
デジタルアナログ変換器（ＤＡＣ）用のサンプリング周波数を、ＤＡＣ出力信号内のイメージが１つまたは複数の受信機と干渉しないように選択するためのコードと、
前記ＤＡＣ用の前記サンプリング周波数と一致するように、前記ＤＡＣに供与される入力信号のサンプルレートを調整するためのコードと、
を備え、
前記入力信号のサンプルレートは１つまたは複数の補間手段を使用して調整され、
前記１つまたは複数の補間手段の出力は、マルチプレクサ手段に入力される、
コンピュータ読み取り可能記録媒体。
【請求項３１】
デジタルアナログ変換器（ＤＡＣ）用のサンプリング周波数を、ＤＡＣ出力信号内のイメージが１つまたは複数の受信機と干渉しないように選択するための手段と、
前記ＤＡＣ用の前記サンプリング周波数と一致するように、前記ＤＡＣに供与される入力信号のサンプルレートを調整するための手段と、
を備え、
前記入力信号のサンプルレートは１つまたは複数の補間手段を使用して調整され、
前記１つまたは複数の補間手段の出力は直列に整列され、最後の補間手段の出力はリサンプラに入力される、
干渉低減のための装置。
【請求項３２】
命令を有するコンピュータ読み取り可能記録媒体であって、前記命令は、
デジタルアナログ変換器（ＤＡＣ）用のサンプリング周波数を、ＤＡＣ出力信号内のイメージが１つまたは複数の受信機と干渉しないように選択するためのコードと、
前記ＤＡＣ用の前記サンプリング周波数と一致するように、前記ＤＡＣに供与される入力信号のサンプルレートを調整するためのコードと、
を備え、
前記入力信号のサンプルレートは１つまたは複数の補間手段を使用して調整され、
前記１つまたは複数の補間手段の出力は直列に整列され、最後の補間手段の出力はリサンプラに入力される、
コンピュータ読み取り可能記録媒体。
【発明の詳細な説明】
【技術分野】
【０００１】
関連出願
本出願は、「ＭＵＬＴＩＰＬＥ  ＢＡＮＤ  ＡＮＤ  ＣＯＮＣＵＲＲＥＮＴ  ＴＥＣＨＮＯＬＯＧＹ  ＳＵＰＰＯＲＴ  ＵＳＩＮＧ  ＶＡＲＩＡＢＬＥ  ＤＩＧＩＴＡＬ−ＴＯ−ＡＮＡＬＯＧ  ＣＯＮＶＥＲＴＥＲ  （ＤＡＣ）  ＳＡＭＰＬＩＮＧ  ＲＡＴＥＳ」という名称で、２００９年６月２６日に出願された、米国仮特許出願番号第６１／２２０９６５号に関連し、その優先権を主張するものである。
【０００２】
本開示は、一般には無線通信システムに関する。より具体的には、本開示は、可変のデジタルアナログ変換器（ＤＡＣ）サンプリングレートを使用する干渉低減のためのシステムと方法とに関する。
【背景技術】
【０００３】
無線デバイスは、消費者のニーズを満たすために、ならびに、携帯性と利便性とを向上させるために、より小型に、かつ、より強力になった。消費者は、セルラー電話、携帯情報端末（ＰＤＡ）、ラップトップコンピュータなどのような無線デバイスに依存するようになった。消費者は、信頼性の高いサービスと、拡大されるカバレッジの領域と、増大される機能性とを期待するようになった。
【０００４】
無線デバイスは、複数の無線通信規格を使用して通信可能であり得る。無線デバイスは、無線ローカルエリアネットワーク（ＷＬＡＮ）と、Ｂｌｕｅｔｏｏｔｈ（登録商標）と、セルラーと、全地球測位システム（ＧＰＳ）とを使用して通信可能であり得る。一部の例では、無線デバイスは、複数の無線規格を同時に使用して通信する場合がある。例えば、Ｂｌｕｅｔｏｏｔｈ（登録商標）のステレオヘッドセットが、コンピュータから音楽を受信することができる一方で、コンピュータは、無線ローカルエリアネットワーク（ＷＬＡＮ）を使用して、インターネットのウェブサイトから楽曲をダウンロードする。
【０００５】
無線デバイスにより送られる送信は、その無線デバイスにより受信される通信、または他の無線デバイスにより受信される通信と干渉する場合がある。例えば、デジタルアナログ変換器（ＤＡＣ）は、受信用に受信機により使用される周波数上に、またはその近傍に入る、ＤＡＣのイメージを送信にもたらす場合がある。これらのＤＡＣのイメージは、干渉を引き起こす場合がある。大規模かつ高性能のフィルタは、ＤＡＣのイメージの一部を除去することができるが、コストが大きい。
【発明の概要】
【０００６】
干渉低減のための方法が、説明される。この方法は、無線デバイスで実施される。デジタルアナログ変換器（ＤＡＣ）用のサンプリング周波数が、ＤＡＣ出力信号内のイメージが１つまたは複数の受信機と干渉しないように選択される。ＤＡＣ用のサンプリング周波数と一致するようにＤＡＣに供与される入力信号のサンプルレートが、調整される。
【０００７】
１つまたは複数の受信機により使用される、１つの周波数または複数の周波数が、決定され得る。ＤＡＣ用のサンプリング周波数が、１つまたは複数の受信機により使用される、その１つの周波数または複数の周波数との干渉を回避するように選択され得る。入力信号のサンプルレートが、１つまたは複数の受信機により使用される、その１つの周波数または複数の周波数との干渉を回避するように選択され得る。入力信号は、ＤＡＣを使用して、選択されたサンプリング周波数で、デジタル信号からアナログ信号に変換され得る。
【０００８】
入力信号は、同相デジタル信号と直交位相デジタル信号とに分割され得る。同相デジタル信号は、同相ＤＡＣ（Ｉ−ＤＡＣ）を使用して、そのサンプリング周波数で、同相アナログ信号に変換され得る。直交位相デジタル信号は、直交位相ＤＡＣ（Ｑ−ＤＡＣ）を使用して、そのサンプリング周波数で、直交位相アナログ信号に変換され得る。
【０００９】
無線デバイスは、マルチモードの無線通信デバイスであり得る。１つまたは複数の受信機が、無線デバイスの、セルラー受信機、全地球測位システム（ＧＰＳ）受信機、Ｂｌｕｅｔｏｏｔｈ（登録商標）受信機、または無線ローカルエリアネットワーク（ＷＬＡＮ）受信機を含み得る。１つまたは複数の受信機がさらに、別の無線デバイス上の受信機を含み得る。
【００１０】
無線デバイスによるスプリアス放射に対するコンプライアンステスト（compliance testing）の不合格をもたらす１つまたは複数のＤＡＣのイメージが、決定され得る。ＤＡＣのイメージが、制限された周波数帯域（restricted frequency band）内に存在しないように、サンプリング周波数が選択され得る。入力信号のサンプルレートが、１つまたは複数の補間器を使用して調整され得る。１つまたは複数の補間器の出力が、マルチプレクサに入力され得る。１つまたは複数の補間器が、直列に整列され得る。最後の補間器の出力が、リサンプラに入力され得る。ＤＡＣ用のサンプリング周波数が、無線デバイスのセルラー送信機が現在動作している帯域クラスに基づいて選択され得る。
【００１１】
無線デバイス用のマルチモードモデムが、さらに説明される。マルチモードモデムは、デジタルアナログ変換器（ＤＡＣ）用のサンプリング周波数を、ＤＡＣの出力信号内のイメージが１つまたは複数の受信機と干渉しないように決定するように構成されるコントローラを含む。マルチモードモデムはさらに、ＤＡＣ用の決定されたサンプリング周波数と一致するように、ＤＡＣに入力として供与されるべき入力信号のサンプルレートを増大するように構成される補間器バンクを含む。
【００１２】
マルチモードモデムは、補間器バンク内の各補間器の出力を受信するマルチプレクサをさらに含み得る。コントローラが、ＤＡＣに供与される補間器の出力を選択するように構成され得る。マルチモードモデムは、下限のサンプルレートで入力信号を受信し、下限のサンプルレートから上限のサンプルレートの間のサンプルレートで出力信号を供与するリサンプラをさらに含み得る。コントローラが、出力信号のサンプルレートを選択するように構成され得る。
【００１３】
ＤＡＣ用のサンプリング周波数が、１つまたは複数の受信機により使用される、１つの周波数または複数の周波数との干渉を回避するように選択され得る。入力信号が、同相デジタル信号と直交位相デジタル信号とに分割され得る。マルチモードモデムは、同相ＤＡＣ（Ｉ−ＤＡＣ）と直交位相ＤＡＣ（Ｑ−ＤＡＣ）とを含み得る。Ｉ−ＤＡＣは、同相デジタル信号をアナログ信号に変換し得るものであり、Ｑ−ＤＡＣは、直交位相デジタル信号をアナログ信号に変換し得るものである。
【００１４】
１つまたは複数の受信機が、無線デバイスの、セルラー受信機、全地球測位システム（ＧＰＳ）受信機、Ｂｌｕｅｔｏｏｔｈ（登録商標）受信機、または無線ローカルエリアネットワーク（ＷＬＡＮ）受信機を含み得る。１つまたは複数の受信機がさらに、別の無線デバイス上の受信機を含み得る。ＤＡＣのイメージが、制限された周波数帯域内に存在しないように、ＤＡＣ用のサンプリング周波数が決定され得る。マルチモードモデムは、マルチプレクサをさらに含み得る。補間器バンクの出力が、マルチプレクサに入力され得る。マルチモードモデムは、リサンプラをさらに含み得る。補間器バンクが、直列に整列される１つまたは複数の補間器を含み得る。最後の補間器の出力が、リサンプラに入力され得る。ＤＡＣ用のサンプリング周波数が、無線デバイスのセルラー送信機が現在動作している帯域クラスに基づいて選択され得る。
【００１５】
干渉低減のための装置が、説明される。装置は、デジタルアナログ変換器（ＤＡＣ）用のサンプリング周波数を、ＤＡＣ出力信号内のイメージが１つまたは複数の受信機と干渉しないように選択するための手段を含む。装置はさらに、ＤＡＣ用のサンプル周波数と一致するように、ＤＡＣに供与される入力信号のサンプルレートを調整するための手段を含む。
【００１６】
命令を有するコンピュータ可読媒体を備えるコンピュータプログラム製品が、さらに説明される。命令は、デジタルアナログ変換器（ＤＡＣ）用のサンプリング周波数を、ＤＡＣ出力信号内のイメージが１つまたは複数の受信機と干渉しないように選択するためのコードを含む。命令はさらに、ＤＡＣ用のサンプル周波数と一致するように、ＤＡＣに供与される入力信号のサンプルレートを調整するためのコードを含み得る。
【図面の簡単な説明】
【００１７】
【図１】図１は、複数の無線デバイスを伴う無線通信システムを示す図である。
【図２】図２は、干渉を低減するためにデジタルアナログ変換器（ＤＡＣ）でのサンプルレートを調整するための方法の流れ図である。
【図３】図３は、本システムおよび方法で使用するためのゼロ中間周波数（ＩＦ）送信機を例示するブロック図である。
【図４】図４は、干渉を低減するためにデジタルアナログ変換器（ＤＡＣ）サンプリング周波数を調整するための方法の流れ図である。
【図５】図５は、本システムおよび方法で使用するためのサンプルレート調整器を例示するブロック図である。
【図６】図６は、本システムおよび方法で使用するための別のサンプルレート調整器を例示するブロック図である。
【図７】図７は、補間器を使用してデジタルアナログ変換器（ＤＡＣ）サンプリング周波数を調整するための方法の流れ図である。
【図８】図８は、モデムに関するフロントエンドアーキテクチャの構成を例示するブロック図である。
【図９】図９は、デジタルアナログ変換器（ＤＡＣ）の周波数応答とデジタルアナログ変換器（ＤＡＣ）の出力とを例示するグラフである。
【図１０】図１０は、基地局内に含まれ得る若干の構成要素を例示する図である。
【図１１】図１１は、無線通信デバイス内に含まれ得る若干の構成要素を例示する。
【詳細な説明】
【００１８】
図１は、複数の無線デバイス１０２と一緒に無線通信システム１００を示す。無線デバイス１０２は、基地局、無線通信デバイス、コントローラなどであり得る。基地局は、１つまたは複数の無線通信デバイスと通信する局である。基地局は、アクセスポイント、ブロードキャスト送信機、ノードＢ、発展型ノードＢなどとも呼ばれ得るとともに、それらの機能性の一部または全部を含み得る。「基地局」という用語が、本明細書では使用されることになる。各基地局は、特定の地理的領域に対して通信カバレッジを提供する。基地局は、１つまたは複数の無線通信デバイスに対して通信カバレッジを提供し得る。「セル」という用語は、その用語が使用される文脈に応じて、基地局および／またはそのカバレッジ領域を指す場合がある。
【００１９】
無線通信デバイスは、端末、アクセス端末、ユーザ機器（ＵＥ）、加入者ユニット、局などとも呼ばれ得るとともに、それらの機能性の一部または全部を含み得る。無線通信デバイスは、セルラー電話、携帯情報端末（ＰＤＡ）、無線デバイス、無線モデム、ハンドヘルドデバイス、ラップトップコンピュータなどであり得る。無線通信デバイスは、任意の所与の時点で、ダウンリンクおよび／またはアップリンク上で、ゼロの、１つのまたは複数の基地局と通信し得る。ダウンリンク（または順方向リンク）は、基地局から無線通信デバイスへの通信リンクを指し、アップリンク（または逆方向リンク）は、無線通信デバイスから基地局への通信リンクを指す。
【００２０】
無線通信システム１００は、利用可能なシステムリソース（例えば、帯域幅および送信電力）を共有することにより、複数のユーザとの通信をサポート可能である多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および空間分割多元接続（ＳＤＭＡ）システムがある。
【００２１】
「マルチモード」無線デバイス１０２は、複数の無線技術を同時に使用し得る。そのような技術の例には、Ｂｌｕｅｔｏｏｔｈ（登録商標）、セルラー、無線ローカルエリアネットワーク（ＷＬＡＮ）、および全地球測位システム（ＧＰＳ）がある。一構成では、無線デバイス１０２は、第１のアンテナ１０４ａを使用してセルラー通信を送り、第２のアンテナ１０４ｂを使用してセルラー通信を受信し、第３のアンテナ１０４ｃを使用して他の通信（例えば、Ｂｌｕｅｔｏｏｔｈ（登録商標）、ＷＬＡＮ、ＧＰＳ）を受信することができる。
【００２２】
無線技術は、様々な帯域クラスで動作し得る。帯域クラスは、無線通信用の周波数スペクトルの一部分の割り振りである。帯域クラスの例には、セルラー、パーソナル通信サービス（ＰＣＳ）、およびインターナショナルモバイルテレコミュニケーション（ＩＭＴ）がある。様々な周波数が、様々な帯域クラス用に利用され得る。様々なデュプレックスオフセット（duplex offset）もまた、様々な帯域クラス用に利用され得る。「デュプレックスオフセット」という用語は、無線通信の送信機と受信機との間の周波数の差を指し得るものである。例えば、モバイル送信周波数は、セルラー帯域クラスに対しては８２４〜８４９ＭＨｚであり、ＰＣＳ帯域クラスに対しては１８５０〜１９１０ＭＨｚであり、ＩＭＴ帯域クラスに対しては１９２０〜１９８０ＭＨｚである等である。デュプレックスオフセットは、セルラー帯域クラスに対しては４５ＭＨｚであり（すなわち、受信機は、送信機よりも４５ＭＨｚ上で動作する）、ＰＣＳ帯域クラスに対しては８０ＭＨｚであり、ＩＭＴ帯域クラスに対しては１９０ＭＨｚである等である。
【００２３】
第１の無線デバイス１０２ａは、通信を送信するために、１次送信機１０６を使用することができる。一構成では、１次送信機１０６は、セルラー送信機であり得る。送信機は、図３に関連して以下でさらに詳細に考察される。１次送信機１０６は、入力信号１０８に対して、第１のアンテナ１０４ａを介した送信のための準備を行うことができる。例えば、１次送信機１０６は、送信の前に、デジタルアナログ変換器（ＤＡＣ）１２０を使用して、入力信号１０８をデジタル信号からアナログ信号に変換することができる。
【００２４】
デジタルアナログ変換器（ＤＡＣ）１２０は、デジタルアナログ変換器（ＤＡＣ）サンプリング周波数１１８でのクロック信号を使用して動作することができる。デジタルアナログ変換器（ＤＡＣ）１２０は、望ましくない周波数の「イメージ」を有する出力信号を発生させる場合がある。これらのイメージは、デジタルアナログ変換器（ＤＡＣ）１２０の出力が、各クロックサイクルの間に所望の信号と１度だけ正確に一致するように、デジタルアナログ変換器（ＤＡＣ）１２０が、クロックサイクルの１周期の間特定の値を保持することに起因する場合がある。これは、時に零次ホールドと呼ばれる。クロックサイクルの残りの間、デジタルアナログ変換器（ＤＡＣ）１２０の出力と理想の信号とは異なる可能性があり、誤差エネルギーを生成する。デジタルアナログ変換器（ＤＡＣ）１２０のイメージは、デジタルアナログ変換器（ＤＡＣ）サンプリング周波数１１８の高調波で発生され得る。例えば、デジタルアナログ変換器（ＤＡＣ）サンプリング周波数１１８が１００メガヘルツ（ＭＨｚ）であるならば、望ましくないイメージは、１００ＭＨｚ、２００ＭＨｚ、３００ＭＨｚなどで発生され得る。
【００２５】
デジタルアナログ変換器（ＤＡＣ）１２０の出力信号により発生されるイメージは、無線デバイス１０２、特に、複数の無線技術をサポートするように構成される「マルチモード」デバイスに対して影響を有し得る。例えば、無線デバイス１０２ａは、１次受信機１２２を含み得る。１次受信機１２２は、第２のアンテナ１０４ｂを使用して通信を受信することができる。受信される通信は、１次受信機周波数１２４で受信され得る。デジタルアナログ変換器（ＤＡＣ）１２０の出力信号で発生されるイメージが、１次受信機周波数１２４上に、またはその近傍に入るならば、１次受信機１２２との干渉が生じる場合がある。同様に、デジタルアナログ変換器（ＤＡＣ）１２０の出力信号で発生されるイメージが、無線デバイス１０２ａ上の２次受信機１２６により使用される２次受信機周波数１２８上に、またはその近傍に入るならば、２次受信機１２６との干渉が生じる場合がある。無線デバイス１０２ａ上の２次受信機１２６は、第３のアンテナ１０４ｃを介して無線通信を受信することができる。２次受信機１２６は、Ｂｌｕｅｔｏｏｔｈ（登録商標）信号、無線ローカルエリアネットワーク（ＷＬＡＮ）信号、全地球測位システム（ＧＰＳ）信号などを受信することができる。無線デバイス１０２は、各２次受信機１２６がアンテナ１０４ｃを有する、複数の２次受信機１２６を有し得る。
【００２６】
１次受信機周波数１２４は、１次送信機１０６が現在動作している帯域クラスによって決まり得る。したがって、デジタルアナログ変換器（ＤＡＣ）１２０のデジタルアナログ変換器（ＤＡＣ）サンプリング周波数１１８は、１次送信機１０６が現在動作している帯域クラスに基づいて調整され得る。１次受信機周波数１２４はさらに、どの無線技術が現在使用されているかによって決まり得る。
【００２７】
第２の無線デバイス１０２ｂは、アンテナ１０４ｄを使用して、第１の無線デバイス１０２ａから送信される信号を受信することができる。デジタルアナログ変換器（ＤＡＣ）１２０の出力信号で発生されるイメージが、第２の無線デバイス１０２ｂ上の受信機１３０により使用される受信機周波数１３２上に、またはその近傍に入るとき、干渉が生じる場合がある。
【００２８】
マルチモードの無線デバイス１０２は、様々な帯域クラスで動作可能であるべきであるので、ＤＡＣのイメージが、１次受信機１２２、２次受信機１２６、または第２の無線デバイス１０２ｂ上の受信機１３０との干渉を引き起こさないように、デジタルアナログ変換器（ＤＡＣ）サンプリング周波数１１８が選択されることが望ましい場合がある。具体的には、マルチモードモデムがサポート可能であるはずである、すべての可能な帯域クラスおよびデュプレックスオフセットで、マルチモードモデムが作動可能であるように、デジタルアナログ変換器（ＤＡＣ）サンプリング周波数１１８が選ばれ得る。しかしながら、この目的を達成することになる単一のデジタルアナログ変換器（ＤＡＣ）サンプリング周波数１１８を選択することが、極めて困難である場合がある。それよりも、デジタルアナログ変換器（ＤＡＣ）サンプリング周波数１１８が、干渉を回避するように調整可能であることが有益である場合がある。デジタルアナログ変換器（ＤＡＣ）１２０の出力信号内のイメージが、当該の受信機がその中で動作している可能性がある任意の周波数帯域の外部にあるように、デジタルアナログ変換器（ＤＡＣ）サンプリング周波数１１８が調整され得る。
【００２９】
デジタルアナログ変換器（ＤＡＣ）サンプリング周波数１１８を調整するために、デジタルアナログ変換器（ＤＡＣ）１２０に入力される信号のサンプルレートもまた、変更されるべきである。１次送信器１０６は、サンプルレート調整器１１０を含み得る。サンプルレート調整器１１０は、図３に関連して以下でさらに詳細に考察される。サンプルレート調整器１１０は、入力信号１０８を受信することができる。次いで、サンプルレート調整器１１０は、入力信号１０８用のサンプルレートを調整し、サンプルレートが調整された入力信号１１６をデジタルアナログ変換器（ＤＡＣ）１２０に出力することができる。サンプルレート調整器１１０はさらに、デジタルアナログ変換器（ＤＡＣ）サンプリング周波数１１８を決定することができる。デジタルアナログ変換器（ＤＡＣ）サンプリング周波数１１８は、サンプルレート調整器１１０によりデジタルアナログ変換器（ＤＡＣ）１２０に出力され得る。入力信号１０８のサンプルレートとデジタルアナログ変換器（ＤＡＣ）サンプリング周波数１１８の両方を調整することにより、デジタルアナログ変換器（ＤＡＣ）１２０の出力内のイメージが、干渉を回避するために、周波数において移動され得る。
【００３０】
図２は、干渉を低減するためにデジタルアナログ変換器（ＤＡＣ）１２０でのサンプルレートを調整するための方法２００の流れ図である。方法２００は、無線デバイス１０２ａにより実行され得る。無線デバイス１０２ａは、１つまたは複数の受信機の、１つの周波数または複数の周波数を決定することができる（２０２）。１つまたは複数の受信機は、無線デバイス１０２ａからの干渉を潜在的に受ける可能性がある受信機であり得る。受信機は、無線デバイス１０２ａ上の（セルラー受信機のような）１次受信機１２２と、無線デバイス１０２ａ上の（Ｂｌｕｅｔｏｏｔｈ（登録商標）受信機、ＷＬＡＮ受信機、またはＧＰＳ受信機のような）２次受信機１２６と、１つまたは複数の他の無線デバイス１０２ｂ上の、１つまたは複数の受信機１３０とを含み得る。
【００３１】
無線デバイス１０２ａは、決定された１つの周波数または複数の周波数との干渉を回避するように、デジタルアナログ変換器（ＤＡＣ）サンプリング周波数１１８を選択することができる（２０４）。一構成では、デジタルアナログ変換器（ＤＡＣ）サンプリング周波数１１８は、どの無線の１つの技術または複数の技術が無線デバイス１０２ａにより使用されているかによって決まり得る。デジタルアナログ変換器（ＤＡＣ）サンプリング周波数１１８はさらに、他の近くの無線デバイス１０２ｂより使用されている無線技術によって決まり得る。
【００３２】
無線デバイス１０２ａはさらに、決定された１つの周波数または複数の周波数との干渉を回避するように、入力信号１０８用の信号サンプルレートを選択することができる（２０６）。デジタルアナログ変換器（ＤＡＣ）１２０のサンプルレートを調整するために、デジタルアナログ変換器（ＤＡＣ）サンプリング周波数１１８と、デジタルアナログ変換器（ＤＡＣ）１２０に入力される信号のサンプルレートの両方が、変更される必要がある。次いで、無線デバイス１０２ａは、サンプルレートが調整された入力信号１１６を取得するために、選択された信号サンプルレートを使用して、入力信号１０８のサンプルレートを調整することができる（２０８）。無線デバイス１０２ａは、デジタルアナログ変換器（ＤＡＣ）１２０を使用して、デジタルアナログ変換器（ＤＡＣ）サンプリング周波数１１８で、サンプルレートが調整された入力信号１１６をデジタル信号からアナログ信号に変換することができる（２１０）。
【００３３】
図３は、本システムおよび方法で使用するためのゼロ中間周波数（ＩＦ）送信機３０６を例示するブロック図である。図３のゼロ中間周波数（ＩＦ）送信機３０６は、図１の１次送信機１０６の一構成であり得る。ゼロ中間周波数（ＩＦ）送信機３０６が例示のために使用されるが、本明細書での技法は、ゼロ中間周波数（ＩＦ）送信機３０６に限定されない。例えば、スーパーヘテロダイン送信機または低中間周波数送信機もまた使用され得る。ゼロ中間周波数（ＩＦ）送信機３０６では、信号は、いかなる中間周波数段階もなしに、ベースバンド信号から無線周波数（ＲＦ）信号に直接アップコンバートされ得る。
【００３４】
ゼロ中間周波数（ＩＦ）送信機３０６は、サンプルレート調整器３１０を含み得る。図３のサンプルレート調整器３１０は、図１のサンプルレート調整器１１０の一構成であり得る。サンプルレート調整器３１０は、図４と図５とに関連して以下でさらに詳細に考察される。サンプルレート調整器３１０は、入力信号３０８を受信することができる。入力信号３０８は、ベースバンド信号であり得る。サンプルレート調整器３１０は、信号サンプルレート３３４を含み得る。信号サンプルレート３３４は、決定されたデジタルアナログ変換器（ＤＡＣ）サンプリング周波数３１８に対応し得る。一構成では、信号サンプルレート３３４およびデジタルアナログ変換器（ＤＡＣ）サンプリング周波数３１８は、同じであり得る。
【００３５】
サンプルレート調整器３１０は、同相デジタル信号３３６と直交位相デジタル信号３５４とを出力することができる。ゼロ中間周波数（ＩＦ）送信機３０６は、同相デジタルアナログ変換器（Ｉ−ＤＡＣ）３３８と直交位相デジタルアナログ変換器（Ｑ−ＤＡＣ）３５６とを含み得る。同相デジタルアナログ変換器（Ｉ−ＤＡＣ）３３８は、サンプルレート調整器３１０から、同相デジタル信号３３６とデジタルアナログ変換器（ＤＡＣ）サンプリング周波数３１８とを受信することができる。次いで、同相デジタルアナログ変換器（Ｉ−ＤＡＣ）３３８は、デジタルアナログ変換器（ＤＡＣ）サンプリング周波数３１８を使用して、同相デジタル信号３３６を同相アナログ信号３４０に変換することができる。同相アナログ信号３４０は、アナログローパスフィルタ（ＬＰＦ）３４２を使用してフィルタリングされ得る。直交位相デジタルアナログ変換器（Ｑ−ＤＡＣ）３５６は、サンプルレート調整器３１０から、直交位相デジタル信号３５４とデジタルアナログ変換器（ＤＡＣ）サンプリング周波数３１８とを受信することができる。次いで、直交位相デジタルアナログ変換器（Ｑ−ＤＡＣ）３５６は、デジタルアナログ変換器（ＤＡＣ）サンプリング周波数３１８を使用して、直交位相デジタル信号３５４を直交位相アナログ信号３５８に変換することができる。直交位相アナログ信号３５８は、アナログローパスフィルタ（ＬＰＦ）３６０を使用してフィルタリングされ得る。
【００３６】
直交位相デジタルアナログ変換器（Ｑ−ＤＡＣ）３５６および同相デジタルアナログ変換器（Ｉ−ＤＡＣ）３３８のデジタルアナログ変換器（ＤＡＣ）サンプリング周波数３１８を調整しないと、フィルタリングされた直交位相アナログ信号３６２と、フィルタリングされた同相アナログ信号３４４の両方は、デジタルアナログ変換器（ＤＡＣ）のイメージと呼ばれる、直交位相デジタルアナログ変換器（Ｑ−ＤＡＣ）３５６および同相デジタルアナログ変換器（Ｉ−ＤＡＣ）３３８によりもたらされる望ましくない周波数のイメージを含む場合がある。ローパスフィルタ（ＬＰＦ）３４２、３６０は、典型的には、ＤＡＣのイメージが、無線デバイス１０２ａ上の受信機および他の無線デバイス１０２ｂ上の受信機と干渉することを防止するようには、ＤＡＣのイメージを十分には減衰させない。ＤＡＣのイメージをフィルタ除去することを試行する代わりに、ＤＡＣのイメージは、それらが無線デバイス１０２ａ上の受信機または他の無線デバイス１０２ｂ上の受信機と、もはや干渉しないように、周波数帯域内で移動されることが可能である。したがって、ＤＡＣのイメージにより引き起こされる干渉を軽減させるための強力なアナログおよび／またはＲＦフィルタが、必要でなくなる場合がある。
【００３７】
フィルタリングされた同相アナログ信号３４４は、第１のミキサ３４６と、位相ロックループ（ＰＬＬ）３４８により発生される局部発振信号３５０とを使用して、無線周波数（ＲＦ）にアップコンバートされ得る。フィルタリングされた直交位相アナログ信号３６２は、第２のミキサ３６４と、位相ロックループ（ＰＬＬ）３４８により発生される局部発振信号３５０とを使用して、無線周波数（ＲＦ）にアップコンバートされ得る。直交位相デジタルアナログ変換器（Ｑ−ＤＡＣ）３５６および同相デジタルアナログ変換器（Ｉ−ＤＡＣ）３３８のデジタルアナログ変換器（ＤＡＣ）サンプリング周波数３１８を調整しないと、アップコンバートされた直交位相アナログ信号３５２と、アップコンバートされた同相アナログ信号３６６の両方は、やはり無線周波数（ＲＦ）にアップコンバートされている望ましくない周波数のイメージを含む場合がある。これらのアップコンバートされたＤＡＣのイメージは、１次受信機１２２、２次受信機１２６、および、無線デバイス１０２ａの外部に存在する受信機１３０と干渉する場合があり、これらの受信機が、それらのそれぞれの信号を復調かつ受信することをより困難にする。
【００３８】
デジタルアナログ変換器（ＤＡＣ）サンプリング周波数３１８を調整することにより、アップコンバートされた同相アナログ信号３５２およびアップコンバートされた直交位相アナログ信号３６６は、調整されたＤＡＣのイメージを有することができ、干渉の可能性を減少させる。次いで、アップコンバートされた同相アナログ信号３５２およびアップコンバートされた直交位相アナログ信号３６６は、結合信号３７０を取得するために、加算器３６８を使用して加算され得る。結合信号３７０は、自動利得制御（ＡＧＣ）増幅器３７２を使用して増幅され、次いで、アンテナ３０４ａを使用して送信され得る。
【００３９】
図４は、干渉を低減するためにデジタルアナログ変換器（ＤＡＣ）サンプリング周波数３１８を調整するための方法４００の流れ図である。方法４００は、無線デバイス１０２ａにより実行され得る。方法４００は、無線デバイス１０２ａのソフトウェア、ファームウェアまたはハードウェアで（例えば、無線デバイス１０２ａ内に含まれるマルチモードモデムで）実施され得る。
【００４０】
無線デバイス１０２ａは、無線デバイス１０２ａ上の１つまたは複数の受信機の、１つの周波数または複数の周波数を決定することができる（４０２）。受信機の周波数とは、受信機が所望の信号を受信する位置の周波数を指し得るものである。無線デバイス１０２ａは、決定された１つの周波数または複数の周波数との干渉を回避するように、デジタルアナログ変換器（ＤＡＣ）サンプリング周波数３１８を選択することができる（４０４）。例えば、無線デバイス１０２ａは、ＤＡＣのイメージが、無線周波数（ＲＦ）にアップコンバートされるときに、決定された１つの周波数または複数の周波数と干渉しないように、デジタルアナログ変換器（ＤＡＣ）サンプリング周波数３１８を選択することができる。一構成では、デジタルアナログ変換器（ＤＡＣ）サンプリング周波数３１８は、アップコンバートされるＤＡＣのイメージの周波数が、決定された１つの周波数または複数の周波数と、少なくとも２ＭＨｚだけ異なるように選択され得る。
【００４１】
無線デバイス１０２ａは、決定された１つの周波数または複数の周波数との干渉を回避するように、入力信号３０８用の信号サンプルレート３３４を選択することができる（４０６）。信号サンプルレート３３４およびデジタルアナログ変換器（ＤＡＣ）クロックレート（すなわち、デジタルアナログ変換器（ＤＡＣ）サンプリング周波数３１８）は、同じである。無線デバイス１０２ａは、サンプルレートが調整された入力信号１１６を取得するために、入力信号３０８のサンプルレート３３４を選択された信号サンプルレート３３４に調整することができる（４０８）。このように、サンプルレートが調整された入力信号１１６は、調整されたサンプルレートでの入力信号３０８であり得る。
【００４２】
無線デバイス１０２ａは、サンプルレートが調整された入力信号１１６を、同相デジタル信号３３６と直交位相デジタル信号３５４とに分割することができる（４１０）。次いで、無線デバイス１０２ａは、同相デジタルアナログ変換器（Ｉ−ＤＡＣ）３３８を使用して、デジタルアナログ変換器（ＤＡＣ）サンプリング周波数３１８で、同相デジタル信号３３６を同相アナログ信号３４０に変換することができる（４１２）。無線デバイス１０２ａはさらに、直交位相デジタルアナログ変換器（Ｑ−ＤＡＣ）３５６を使用して、直交位相デジタル信号３５４を直交位相アナログ信号３５８に変換することができる（４１４）。
【００４３】
図５は、本システムおよび方法で使用するためのサンプルレート調整器５１０を例示するブロック図である。図５のサンプルレート調整器５１０は、図１のサンプルレート調整器１１０の一構成であり得る。サンプルレート調整器５１０は、入力信号５０８ａを受信することができる。入力信号５０８ａは、１つまたは複数の補間器５７４ａ〜ｎに供与され得る。それぞれの連続する補間器５７４は、入力信号５０８ａに対してサンプルレートを２倍にすることができる。例えば、ＣＤＭＡシステムでは、入力信号５０８ａのチップレート（ｃｘ）は、ｃｘ１であり得るものであり、第１の補間器５７４ａの出力５０８ｂのチップレートは、ｃｘ２（入力信号のチップレートの２倍）であり得るものであり、第２の補間器５７４ｂの出力５０８ｃのチップレートは、ｃｘ４であり得るものである。補間器５７４の群は、補間器バンクと呼ばれ得る。
【００４４】
ＣＤＭＡ２０００システムは、１．２２８８ＭＨｚの基本チップレートを有し得る。基本チップレートは、ｃｈｉｐｘ１と呼ばれ得る。補間器５７４を使用すると、チップレートは、ｃｈｉｐｘ２（すなわち、１．２２８８ＭＨｚ×２）、ｃｈｉｐｘ４（すなわち、１．２２８８ＭＨｚ×４）、ｃｈｉｐｘ８、ｃｈｉｐｘ１６、ｃｈｉｐｘ３２、ｃｈｉｐｘ６４などに増大され得る。
【００４５】
一構成では、補間器５７４の出力５０８ｂ〜ｎは、入力信号５０８ａのサンプルレートの倍数である任意の整数であり得る。補間器５７４は、隣接するサンプル間に一定数のゼロを挿入するように構成され得る。補間器５７４はさらに、アンチエイリアシングフィルタを含み得る。
【００４６】
各補間器５７４の出力は、マルチプレクサ５７６に入力として供与され得る。制御信号５８０は、マルチプレクサ５７６に入力として供与され得るものであり、どの出力が、同相デジタル信号５３６および直交位相デジタル信号５５４として通過させられるかの選択を可能にする。同相デジタル信号５３６および直交位相デジタル信号５５４は、ともに、送信信号の複素変調を表す。送信信号は、振幅と位相の両方の変調を有するので、定義上は複素数であり、同相成分と直交位相成分の両方を必要とする。
【００４７】
制御信号５８０は、干渉を回避するために、同相デジタル信号５３６および直交位相デジタル信号５５４のサンプルレートが何であるべきかを決定するコントローラ５７８により発生され得る。コントローラ５７８はさらに、干渉を回避するために、同相デジタルアナログ変換器（Ｉ−ＤＡＣ）３３８および直交位相デジタルアナログ変換器（Ｑ−ＤＡＣ）３５６のデジタルアナログ変換器（ＤＡＣ）サンプリング周波数５１８を選択することができる。典型的には、デジタルアナログ変換器（ＤＡＣ）サンプリング周波数５１８は、位相ロックループ（ＰＬＬ）とデジタル除算器とから生じる。
【００４８】
図６は、本システムおよび方法で使用するための別のサンプルレート調整器６１０を例示するブロック図である。図６のサンプルレート調整器６１０は、図１のサンプルレート調整器１１０の一構成であり得る。サンプルレート調整器６１０は、入力信号６０８を受信することができる。次いで、入力信号６０８は、第１の補間器６７４ａに供与され得る。第１の補間器６７４ａの出力は、第２の補間器６７４ｂに入力され得る。入力信号６０８は、さらなる補間器６７４に供与され得る。次いで、最後の補間器６７４ｎの出力は、リサンプラ６８２に供与され得る。リサンプラ６８２は、特別な種類の補間器であり得る。補間器６７４とは異なり、リサンプラ６８２の出力のサンプルレートは、入力信号６０８のサンプルレートの整数倍である必要はない。
【００４９】
例えば、リサンプラ６８２は、特定の下限のサンプルレート（例えば、ｃｘ６４）で入力を受け入れ、下限のサンプルレートから特定の上限のサンプルレート（例えば、ｃｘ１２８）の間の任意のレートで出力を供与するように構成され得る。したがって、リサンプラ６８２の使用により、ＤＡＣのイメージが、（下限のサンプルレートと上限のサンプルレートとによって決まる）所与の範囲内の任意の所望の周波数の位置に置かれることが可能になる。コントローラ６７８は、入力信号６０８がサンプリングされるべき特定のサンプルレートに関して、制御信号６８０を使用して、リサンプラ６８２に命令することができる。複数の補間器６７４ａ〜ｎが、入力信号６０８を、リサンプラ６８２を通過させる前に、入力信号６０８のサンプルレートを所望の下限のサンプリングレートに変更するために使用され得る。
【００５０】
リサンプラ６８２は、同相デジタル信号６３６と直交位相デジタル信号６５４とを出力することができる。同相デジタル信号６３６と直交位相デジタル信号６５４の両方は、所望のサンプリングレートを有し得る。リサンプラ６８２はさらに、デジタルアナログ変換器（ＤＡＣ）サンプリング周波数６１８を出力することができる。デジタルアナログ変換器（ＤＡＣ）サンプリング周波数６１８は、同相デジタル信号６３６および直交位相デジタル信号６５４のサンプルレートと同じであり得る。
【００５１】
一構成では、図１のサンプルレート調整器１１０は、図５のサンプルレート調整器５１０と図６のサンプルレート調整器６１０との組み合わせを含み得る。
【００５２】
図７は、補間器５７４、６７４を使用してデジタルアナログ変換器（ＤＡＣ）サンプリング周波数３１８を調整するための方法７００の流れ図である。方法７００は、無線デバイス１０２ａにより実行され得る。無線デバイス１０２ａは、スプリアス放射に対するコンプライアンステストの不合格をもたらすデジタルアナログ変換器（ＤＡＣ）のイメージを決定することができる（７０２）。「スプリアス放射」という用語は、意図的に生成または送信されるものでない任意の無線周波数を指し得るものである。スプリアス放射は、他の周波数を生成しないデバイスにより、しばしば発生される。送信機の割り当てられたチャネルの外部の高調波または他の信号は、典型的にはスプリアス放射と考えられる。制限された周波数帯域内に入るＤＡＣのイメージは、スプリアス放射であり得る。デジタルアナログ変換器（ＤＡＣ）の放射の強度によっては、無線デバイス１０２ａは、コンプライアンステストの要求事項に不合格になる場合がある。
【００５３】
無線デバイス１０２ａが順守しなければならない場合がある、様々なスプリアス放射の要求事項が存在する。例えば、政府機関が、特定の周波数帯域での送信に関して、（制限された周波数帯域のような）隣接する周波数帯域でのいかなる出力も、ある一定のしきい値より低くなければならないということを指定する場合がある。
【００５４】
無線デバイス１０２ａは、ＤＡＣのイメージが、制限された周波数帯域内に存在しないように、デジタルアナログ変換器（ＤＡＣ）サンプリング周波数３１８を選択することができる（７０４）。無線デバイス１０２ａはさらに、ＤＡＣのイメージが、制限された周波数帯域内に存在しないように、入力信号３０８用の信号サンプルレート３３４を選択することができる（７０６）。一構成では、信号サンプルレート３３４およびデジタルアナログ変換器（ＤＡＣ）サンプリング周波数３１８は、同じであり得る。
【００５５】
無線デバイスは、１つまたは複数の補間器５７４、６７４を使用して、入力信号３０８のサンプルレートを信号サンプルレート３３４に調整することができる（７０８）。無線デバイス１０２ａは、図５で例示されるようなマルチプレクサ５７６、または、図６で例示されるようなリサンプラ６８２を使用して、入力信号３０８のサンプルレートを調整することができる。無線デバイス１０２ａはさらに、１つまたは複数の補間器５７４、６７４を使用して、デジタルアナログ変換器（ＤＡＣ）サンプリング周波数３１８を調整することができる（７１０）。次いで、無線デバイス１０２ａは、デジタルアナログ変換器（ＤＡＣ）１２０を使用して、入力信号３０８をデジタル信号からアナログ信号に変換することができる（７１２）。
【００５６】
図８は、モデム８８４に関するフロントエンドアーキテクチャの構成を例示するブロック図である。モデム８８４は、無線デバイス１０２ａの一部であり得る。送信信号ストリームが、信号ストリームに対してメッセージを伝達するための準備を行うために、変調器８８５を通して送られ得る。逆高速フーリエ変換（ＩＦＦＴ）８８６は、信号ストリームを周波数領域から時間領域に変換することができる。ベースバンド（ＢＢ）フィルタ８８７は、不要な高周波数のイメージをフィルタ除去することができる。デジタルアナログ変換器（ＤＡＣ）８２０は、デジタル信号ストリームをアナログ信号ストリームに変換することができ、アナログフィルタ８８９は、より高い周波数のイメージをさらに低減するために、信号ストリームに追加的なフィルタリングを提供することができる。
【００５７】
ミキサ８９０は、アナログベースバンド信号をＲＦ周波数に変換することができる。可変利得増幅器（ＶＧＡ）８９１は、信号ストリームの利得を制御することにより、所望の出力信号レベルを維持することができる。最終的に、信号ストリームは、アンテナ８０４ａにより送信される前に、バルク弾性波（ＢＡＷ）フィルタ８９２を通過させられ得る。バルク弾性波（ＢＡＷ）フィルタ８９２は、イメージが受信チャネルに対して受信機のノイズフロアよりも十分小さいように、高周波数のイメージをさらに抑圧する阻止帯域を伴う、送信チャネルの中心周波数でのＲＦ通過帯域フィルタである。
【００５８】
図９は、デジタルアナログ変換器（ＤＡＣ）１２０の周波数応答９９４とデジタルアナログ変換器（ＤＡＣ）１２０の出力９９６とを例示するグラフである。周波数応答９９４の振幅は、ｓｉｎｃ関数（すなわち、
【数１】
0005543589.tif 000002
【００５９】
）にしたがって、周波数の増大とともにロールオフし得るものであり、微弱なイメージのエネルギーの「ヌル」をサンプルレートの整数倍の周囲に残す。
【００６０】
デジタルアナログ変換器（ＤＡＣ）１２０の出力９９６は、周波数応答９９４の「ヌル」の周囲に、ＤＡＣのイメージ９９８を含み得る。これらのＤＡＣのイメージ９９８は、無線デバイス１０２ａ上の１次受信機１２２、無線デバイス１０２ａ上の２次受信機１２６、または、別の無線デバイス１０２ｂ上の受信機１３０と干渉する。
【００６１】
図１０は、基地局１００１内に含まれ得る若干の構成要素を例示する。基地局１００１は、アクセスポイント、ノードＢ、発展型ノードＢなどであり得る。基地局１００１は、プロセッサ１００３を含む。プロセッサ１００３は、汎用のシングルチップまたはマルチチップのマイクロプロセッサ（例えば、ＡＲＭ）、専用マイクロプロセッサ（例えば、デジタル信号プロセッサ（ＤＳＰ））、マイクロコントローラ、プログラマブルゲートアレイなどであり得る。プロセッサ１００３は、中央処理装置（ＣＰＵ）と呼ばれ得る。まさに単一のプロセッサ１００３が、図１０の基地局１００１内に示されているが、代替の構成では、プロセッサ（例えば、ＡＲＭおよびＤＳＰ）の組み合わせが、使用され得る。
【００６２】
基地局１００１はさらに、メモリ１００５を含む。メモリ１００５は、電子情報を記憶可能な任意の電子部品であり得る。メモリ１００５は、ランダムアクセスメモリ（ＲＡＭ）、リードオンリーメモリ（ＲＯＭ）、磁気ディスク記憶媒体、光記憶媒体、ＲＡＭ内のフラッシュメモリデバイス、プロセッサとともに含まれるオンボードメモリ、ＥＰＲＯＭメモリ、ＥＥＰＲＯＭメモリ、レジスタなどとして、それらの組み合わせを含めて、具現され得る。
【００６３】
データ１００７および命令１００９が、メモリ１００５に記憶され得る。命令１００９は、本明細書で開示される方法を実施するために、プロセッサ１００３により実行可能であり得る。命令１００９を実行することは、メモリ１００５に記憶されるデータ１００７の使用を含み得る。プロセッサ１００３が命令１００９を実行するとき、命令１００９ａの様々な部分が、プロセッサ１００３上にロードされ得るとともに、データ１００７ａの様々な要素が、プロセッサ１００３上にロードされ得る。
【００６４】
基地局１００１はさらに、無線デバイス１００１を往来する信号の送信と受信とを可能にする、送信機１０１１と受信機１０１３とを含み得る。送信機１０１１および受信機１０１３は、ひとまとめにしてトランシーバ１０１５と呼ばれ得る。複数のアンテナ１０１７ａ〜ｂが、トランシーバ１０１５に電気的に結合され得る。基地局１００１はさらに、（図示されない）複数の送信機、複数の受信機、および／または複数のトランシーバを含み得る。
【００６５】
基地局１００１の様々な構成要素が、電力バス、制御信号バス、ステータス信号バス、データバスなどを含み得る、１つまたは複数のバスにより、一体に結合され得る。見やすいように、様々なバスは、図１０ではバスシステム１０１９として例示されている。
【００６６】
図１１は、無線通信デバイス１１０１内に含まれ得る若干の構成要素を例示する。無線通信デバイス１１０１は、アクセス端末、移動局、ユーザ機器（ＵＥ）などであり得る。無線通信デバイス１１０１は、プロセッサ１１０３を含む。プロセッサ１１０３は、汎用のシングルチップまたはマルチチップのマイクロプロセッサ（例えば、ＡＲＭ）、専用マイクロプロセッサ（例えば、デジタル信号プロセッサ（ＤＳＰ））、マイクロコントローラ、プログラマブルゲートアレイなどであり得る。プロセッサ１１０３は、中央処理装置（ＣＰＵ）と呼ばれ得る。まさに単一のプロセッサ１１０３が、図１１の無線通信デバイス１１０１内に示されているが、代替の構成では、プロセッサ（例えば、ＡＲＭおよびＤＳＰ）の組み合わせが、使用され得る。
【００６７】
無線通信デバイス１１０１はさらに、メモリ１１０５を含む。メモリ１１０５は、電子情報を記憶可能な任意の電子部品であり得る。メモリ１１０５は、ランダムアクセスメモリ（ＲＡＭ）、リードオンリーメモリ（ＲＯＭ）、磁気ディスク記憶媒体、光記憶媒体、ＲＡＭ内のフラッシュメモリデバイス、プロセッサとともに含まれるオンボードメモリ、ＥＰＲＯＭメモリ、ＥＥＰＲＯＭメモリ、レジスタなどとして、それらの組み合わせを含めて、具現され得る。
【００６８】
データ１１０７および命令１１０９が、メモリ１１０５に記憶され得る。命令１１０９は、本明細書で開示される方法を実施するために、プロセッサ１１０３により実行可能であり得る。命令１１０９を実行することは、メモリ１１０５に記憶されるデータ１１０７の使用を含み得る。プロセッサ１１０３が命令１１０９を実行するとき、命令１１０９ａの様々な部分が、プロセッサ１１０３上にロードされ得るとともに、データ１１０７ａの様々な要素が、プロセッサ１１０３上にロードされ得る。
【００６９】
無線通信デバイス１１０１はさらに、無線通信デバイス１１０１へのおよびそれからの信号の送信および受信を可能にする、送信機１１１１と受信機１１１３とを含み得る。送信機１１１１および受信機１１１３は、ひとまとめにしてトランシーバ１１１５と呼ばれ得る。複数のアンテナ１１１７ａ〜ｂが、トランシーバ１１１５に電気的に結合され得る。無線通信デバイス１１０１はさらに、（図示されない）複数の送信機、複数の受信機、および／または複数のトランシーバを含み得る。
【００７０】
無線通信デバイス１１０１の様々な構成要素が、電力バス、制御信号バス、ステータス信号バス、データバスなどを含み得る、１つまたは複数のバスにより、一体に結合され得る。見やすいように、様々なバスは、図１１ではバスシステム１１１９として例示されている。
【００７１】
「決定すること」という用語は、多種多様のアクションを包含するものであり、したがって、「決定すること」は、計算すること、コンピュータで計算すること、処理すること、導出すること、調査すること、探索すること（例えば、表、データベース、または別のデータ構造で探索すること）、確認することなどを含み得る。さらに、「決定すること」は、受信すること（例えば、情報を受信すること）、アクセスすること（例えば、メモリ内のデータにアクセスすること）などを含み得る。さらに、「決定すること」は、解決すること、選択すること、選ぶこと、確立することなどを含み得る。
【００７２】
「に基づく」という語句は、別段の明示的な指定がない限り、「にのみ基づく」を意味しない。換言すれば、「に基づく」という語句は、「にのみ基づく」と「に少なくとも基づく」の両方を表す。
【００７３】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、状態機械などを包含するように、幅広く解釈されるべきである。一部の状況のもとでは、「プロセッサ」は、特定用途向け集積回路（ＡＳＩＣ）、プログラマブルロジックデバイス（ＰＬＤ）、フィールドプログラマブルゲートアレイ（ＦＰＧＡ）などを指す場合がある。「プロセッサ」という用語は、処理デバイスの組み合わせ、例えば、ＤＳＰとマイクロプロセッサとの組み合わせ、複数のマイクロプロセッサ、ＤＳＰコアと関連する１つもしくは複数のマイクロプロセッサ、または他の任意のそのような構成を指す場合がある。
【００７４】
「メモリ」という用語は、電子情報を記憶可能な任意の電子部品を包含するように、幅広く解釈されるべきである。メモリという用語は、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、消去可能プログラマブルリードオンリーメモリ（ＥＰＲＯＭ）、電気的消去可能ＰＲＯＭ（ＥＥＰＲＯＭ）、フラッシュメモリ、磁気的または光学的なデータ記憶、レジスタなどのような、様々なタイプのプロセッサ可読媒体を指す場合がある。プロセッサが、メモリから情報を読み出し、かつ／または、メモリに情報を書き込むことができるならば、メモリは、プロセッサと電子通信していると言われる。プロセッサに不可欠なメモリは、プロセッサと電子通信している。
【００７５】
「命令」および「コード」という用語は、任意のタイプのコンピュータ可読ステートメント（複数可）を含むように、幅広く解釈されるべきである。例えば、「命令」および「コード」という用語は、１つまたは複数のプログラム、ルーチン、サブルーチン、関数、プロシージャなどを指す場合がある。「命令」および「コード」は、単一のコンピュータ可読ステートメント、または多数のコンピュータ可読ステートメントを備え得る。
【００７６】
本明細書で説明される機能は、ハードウェア、ソフトウェア、ファームウェア、またはそれらの任意の組み合わせで実施され得る。ソフトウェアで実施される場合、機能は、１つまたは複数の命令としてコンピュータ可読媒体に記憶され得る。「コンピュータ可読媒体」または「コンピュータプログラム製品」という用語は、コンピュータによりアクセスされ得る任意の利用可能な媒体を指す。例として、以下のものに限定されないが、コンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または、所望のプログラムコードを命令もしくはデータ構造の形で搬送もしくは記憶するために使用され得るとともに、コンピュータによりアクセスされ得る、他の任意の媒体を備え得る。本明細書では、ディスク（ｄｉｓｋ）およびディスク（ｄｉｓｃ）は、コンパクトディスク（ＣＤ）、レーザーディスク（登録商標）、光ディスク、デジタルバーサタイルディスク（ＤＶＤ）、フロッピー（登録商標）ディスクおよびＢｌｕ−ｒａｙ（登録商標）ディスクを含み、ここで、ディスク（ｄｉｓｋ）は、通常はデータを磁気的に再生し、ディスク（ｄｉｓｃ）は、レーザを用いてデータを光学的に再生する。
【００７７】
ソフトウェアまたは命令はさらに、送信媒体を介して送信され得る。例えば、ソフトウェアが、同軸ケーブル、光ファイバケーブル、ツイストペア、デジタル加入者線（ＤＳＬ）、または、赤外線、無線通信、およびマイクロ波のような無線技術を使用して、ウェブサイト、サーバ、または他のリモートソースから送信されるならば、同軸ケーブル、光ファイバケーブル、ツイストペア、ＤＳＬ、または、赤外線、無線通信、およびマイクロ波のような無線技術は、送信媒体の定義に含まれる。
【００７８】
本明細書で開示される方法は、説明される方法を実現するための１つまたは複数の、ステップまたはアクションを備える。方法のステップおよび／またはアクションは、特許請求の範囲の範囲から逸脱することなく、相互に交換され得る。換言すれば、ステップまたはアクションの具体的な順序が、説明されている方法の適切な動作のために必要とされていない限り、具体的なステップおよび／またはアクションの、順序および／または使用は、特許請求の範囲の範囲から逸脱することなく修正され得る。
【００７９】
さらに、図２、４および７により例示されるような、本明細書で説明される方法と技法とを実行するための、モジュールおよび／または他の適切な手段は、デバイスにより、ダウンロードされ得る、かつ／または、他の方法で取得され得るということを理解されたい。例えば、デバイスは、本明細書で説明される方法を実行するための手段の転送を容易にするために、サーバに結合され得る。あるいは、本明細書で説明される様々な方法は、記憶手段をデバイスに結合または提供する際に、デバイスが様々な方法を取得し得るように、記憶手段（例えば、ランダムアクセスメモリ（ＲＡＭ）、リードオンリーメモリ（ＲＯＭ）、コンパクトディスク（ＣＤ）またはフロッピー（登録商標）ディスクのような物理的な記憶媒体など）を介して提供され得る。さらに、本明細書で説明される方法と技法とをデバイスに提供するための、他の任意の適した技法が利用され得る。
【００８０】
特許請求の範囲は、上記で例示された正確な構成と構成要素とに限定されないことを理解されたい。様々な修正、変更および変形が、特許請求の範囲の範囲から逸脱することなく、本明細書で説明される、システム、方法、および装置の、配置、動作および詳細において行われ得る。
以下に、出願当初の特許請求の範囲に記載された発明を付記する。
［Ｃ１］
無線デバイスで実施される、干渉低減のための方法であって、
デジタルアナログ変換器（ＤＡＣ）用のサンプリング周波数を、ＤＡＣ出力信号内のイメージが１つまたは複数の受信機と干渉しないように選択することと、
前記ＤＡＣ用の前記サンプリング周波数と一致するように前記ＤＡＣに供与される入力信号のサンプルレートを調整することとを備える、方法。
［Ｃ２］
前記１つまたは複数の受信機により使用される、１つの周波数または複数の周波数を決定すること、この場合、前記ＤＡＣ用の前記サンプリング周波数は、前記１つまたは複数の受信機により使用される、前記１つの周波数または複数の周波数との干渉を回避するように選択される、
前記１つまたは複数の受信機により使用される前記１つの周波数または複数の周波数との干渉を回避するように、前記入力信号の前記サンプルレートを選択すること、をさらに備える、Ｃ１に記載の方法。
［Ｃ３］
前記選択されたサンプリング周波数で、前記ＤＡＣを使用して、前記入力信号をデジタル信号からアナログ信号に変換することをさらに備える、Ｃ１に記載の方法。
［Ｃ４］
前記入力信号を、同相デジタル信号と直交位相デジタル信号とに分割することをさらに備える、Ｃ１に記載の方法。
［Ｃ５］
前記サンプリング周波数で、同相ＤＡＣ（Ｉ−ＤＡＣ）を使用して、前記同相デジタル信号を同相アナログ信号に変換すること、
前記サンプリング周波数で、直交位相ＤＡＣ（Ｑ−ＤＡＣ）を使用して、前記直交位相デジタル信号を直交位相アナログ信号に変換すること、をさらに備える、Ｃ４に記載の方法。
［Ｃ６］
前記無線デバイスは、マルチモードの無線通信デバイスである、Ｃ１に記載の方法。
［Ｃ７］
前記１つまたは複数の受信機は、前記無線デバイスのセルラー受信機を備える、Ｃ１に記載の方法。
［Ｃ８］
前記１つまたは複数の受信機は、前記無線デバイスの全地球測位システム（ＧＰＳ）受信機を備える、Ｃ１に記載の方法。
［Ｃ９］
前記１つまたは複数の受信機は、前記無線デバイスのＢｌｕｅｔｏｏｔｈ（登録商標）受信機を備える、Ｃ１に記載の方法。
［Ｃ１０］
前記１つまたは複数の受信機は、前記無線デバイスの無線ローカルエリアネットワーク
（ＷＬＡＮ）受信機を備える、Ｃ１に記載の方法。
［Ｃ１１］
前記１つまたは複数の受信機は、別の無線デバイス上の受信機を備える、Ｃ１に記載の方法。
［Ｃ１２］
前記無線デバイスによるスプリアス放射に対するコンプライアンステストの不合格をもたらす１つまたは複数のＤＡＣのイメージを決定することをさらに備え、ＤＡＣのイメージが、制限された周波数帯域内に存在しないように、前記サンプリング周波数が選択される、Ｃ１１に記載の方法。
［Ｃ１３］
前記入力信号のサンプルレートは、１つまたは複数の補間器を使用して調整される、Ｃ１に記載の方法。
［Ｃ１４］
前記１つまたは複数の補間器の出力は、マルチプレクサに入力される、Ｃ１３に記載の方法。
［Ｃ１５］
前記１つまたは複数の補間器は直列に整列され、最後の補間器の出力はリサンプラに入力される、Ｃ１３に記載の方法。
［Ｃ１６］
前記ＤＡＣ用の前記サンプリング周波数は、前記無線デバイスのセルラー送信機が現在動作している帯域クラスに基づいて選択される、Ｃ１に記載の方法。
［Ｃ１７］
デジタルアナログ変換器（ＤＡＣ）用のサンプリング周波数を、前記ＤＡＣの出力信号内のイメージが１つまたは複数の受信機と干渉しないように決定するように構成されるコントローラと、
前記ＤＡＣ用の前記決定されたサンプリング周波数と一致するように、前記ＤＡＣに入力として供与されるべき入力信号のサンプルレートを増大するように構成される補間器バンクと、を備える、無線デバイス用のマルチモードモデム。
［Ｃ１８］
マルチプレクサをさらに備え、前記マルチプレクサは、前記補間器バンク内の各補間器の出力を受信し、前記コントローラは、前記ＤＡＣに供与される補間器の前記出力を選択するように構成される、Ｃ１７に記載のマルチモードモデム。
［Ｃ１９］
リサンプラをさらに備え、前記リサンプラは、下限のサンプルレートで入力信号を受信し、前記下限のサンプルレートから上限のサンプルレートの間のサンプルレートで出力信号を供与し、前記コントローラは、前記出力信号の前記サンプルレートを選択するように構成される、Ｃ１７に記載のマルチモードモデム。
［Ｃ２０］
前記ＤＡＣ用の前記サンプリング周波数は、前記１つまたは複数の受信機により使用される、１つの周波数または複数の周波数との干渉を回避するように選択される、Ｃ１７に記載のマルチモードモデム。
［Ｃ２１］
前記入力信号は、同相デジタル信号と直交位相デジタル信号とに分割される、Ｃ１７に記載のマルチモードモデム。
［Ｃ２２］
同相ＤＡＣ（Ｉ−ＤＡＣ）と直交位相ＤＡＣ（Ｑ−ＤＡＣ）とをさらに備え、前記Ｉ−ＤＡＣは、前記同相デジタル信号をアナログ信号に変換し、前記Ｑ−ＤＡＣは、前記直交位相デジタル信号をアナログ信号に変換する、Ｃ２１に記載のマルチモードモデム。
［Ｃ２３］
前記１つまたは複数の受信機は、前記無線デバイスのセルラー受信機を備える、Ｃ１７に記載のマルチモードモデム。
［Ｃ２４］
前記１つまたは複数の受信機は、前記無線デバイスの全地球測位システム（ＧＰＳ）受信機を備える、Ｃ１７に記載のマルチモードモデム。
［Ｃ２５］
前記１つまたは複数の受信機は、前記無線デバイスのＢｌｕｅｔｏｏｔｈ受信機を備える、Ｃ１７に記載のマルチモードモデム。
［Ｃ２６］
前記１つまたは複数の受信機は、前記無線デバイスの無線ローカルエリアネットワーク
（ＷＬＡＮ）受信機を備える、Ｃ１７に記載のマルチモードモデム。
［Ｃ２７］
前記１つまたは複数の受信機は、別の無線デバイス上の受信機を備える、Ｃ１７に記載のマルチモードモデム。
［Ｃ２８］
ＤＡＣのイメージは、制限された周波数帯域内に存在しないように、前記ＤＡＣ用の前記サンプリング周波数が決定される、Ｃ２７に記載のマルチモードモデム。
［Ｃ２９］
マルチプレクサをさらに備え、前記補間器バンクの出力が、前記マルチプレクサに入力される、Ｃ１７に記載のマルチモードモデム。
［Ｃ３０］
リサンプラをさらに備え、前記補間器バンクが、直列に整列される１つまたは複数の補間器を備え、最後の補間器の出力が、前記リサンプラに入力される、Ｃ１７に記載のマルチモードモデム。
［Ｃ３１］
前記ＤＡＣ用の前記サンプリング周波数は、前記無線デバイスのセルラー送信機が現在動作している帯域クラスに基づいて選択される、Ｃ１７に記載のマルチモードモデム。
［Ｃ３２］
デジタルアナログ変換器（ＤＡＣ）用のサンプリング周波数を、ＤＡＣ出力信号内のイメージが１つまたは複数の受信機と干渉しないように選択するための手段と、
前記ＤＡＣ用の前記サンプル周波数と一致するように、前記ＤＡＣに供与される入力信号のサンプルレートを調整するための手段と、を備える、干渉低減のための装置。
［Ｃ３３］
命令を有するコンピュータ可読媒体を備えるコンピュータプログラム製品であって、前記命令は、
デジタルアナログ変換器（ＤＡＣ）用のサンプリング周波数を、ＤＡＣ出力信号内のイメージが１つまたは複数の受信機と干渉しないように選択するためのコードと、
前記ＤＡＣ用の前記サンプル周波数と一致するように、前記ＤＡＣに供与される入力信号のサンプルレートを調整するためのコードと、を備える、コンピュータプログラム製品。
【図１】
0005543589.tif 000003
【図２】
0005543589.tif 000004
【図３】
0005543589.tif 000005
【図４】
0005543589.tif 000006
【図５】
0005543589.tif 000007
【図６】
0005543589.tif 000008
【図７】
0005543589.tif 000009
【図８】
0005543589.tif 000010
【図９】
0005543589.tif 000011
【図１０】
0005543589.tif 000012
【図１１】
0005543589.tif 000013